【手続補正書】
【提出日】平成21年3月10日(2009.3.10)
【手続補正１】
【補正対象書類名】明細書
【補正対象項目名】発明の名称
【補正方法】変更
【補正の内容】
【発明の名称】配線基板および太陽電池モジュール
【手続補正２】
【補正対象書類名】明細書
【補正対象項目名】０００１
【補正方法】変更
【補正の内容】
【０００１】
本発明は配線基板および太陽電池モジュールに関し、特にＦＦ（Fill Factor）値が大きい太陽電池を安価に製造することができる配線基板とこれを用いた太陽電池モジュールに関する。
【手続補正３】
【補正対象書類名】明細書
【補正対象項目名】００１３
【補正方法】変更
【補正の内容】
【００１３】
そこで、本発明の目的は、ＦＦ（Fill Factor）値が大きい太陽電池を安価に製造することができる配線基板とこれを用いた太陽電池モジュールを提供することにある。
【手続補正４】
【補正対象書類名】明細書
【補正対象項目名】００１４
【補正方法】変更
【補正の内容】
【００１４】
本発明は、太陽電池セルの電極を接続する配線が絶縁性基板の一面側に形成された配線基板であって、太陽電池セルが配置されるセル配置部を複数備え、セル配置部のそれぞれにおいて、配線は電気的に分離された二つの櫛形状の配線部に形成されているとともに、二つの櫛形状の配線部はそれぞれ互いの櫛歯が交互に配列されるように設置されており、隣り合うセル配置部においては、隣り合う一方のセル配置部の配線部の櫛歯を接続する部分と、隣り合う他方のセル配置部の配線部の櫛歯を接続する部分とが電気的に接続されている配線基板である。
【手続補正５】
【補正対象書類名】明細書
【補正対象項目名】００１５
【補正方法】変更
【補正の内容】
【００１５】
ここで、本発明の配線基板においては、絶縁性基板が透明であることが好ましい。
【手続補正６】
【補正対象書類名】明細書
【補正対象項目名】００１６
【補正方法】変更
【補正の内容】
【００１６】
また、本発明の配線基板においては、絶縁性基板の一面側とは反対側に反射膜が形成されていることが好ましい。
【手続補正７】
【補正対象書類名】明細書
【補正対象項目名】００１７
【補正方法】変更
【補正の内容】
【００１７】
また、本発明は、半導体基板の一面側にｐ電極とｎ電極とを備えてなる太陽電池セルの複数と、太陽電池セルのｐ電極を接続するｐ配線と太陽電池セルのｎ電極を接続するｎ配線とが絶縁性基板の一面側に形成された配線基板とを含む太陽電池モジュールであって、配線基板は、太陽電池セルが配置されるセル配置部を複数備え、配線基板のセル配置部のそれぞれにおいて、ｐ配線およびｎ配線はそれぞれ櫛形状に形成されるとともに、ｐ配線およびｎ配線はそれぞれｐ配線の櫛歯に相当する部分とｎ配線の櫛歯に相当する部分とが交互に配列されるように電気的に分離して設置されており、配線基板の隣り合うセル配置部においては、隣り合う一方のセル配置部のｐ配線の櫛歯に相当する部分を接続する部分と、隣り合う他方のセル配置部のｎ配線の櫛歯に相当する部分を接続する部分とが電気的に接続されている太陽電池モジュールである。
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】変更
【補正の内容】
【００２３】
また、本発明の太陽電池モジュールにおいては、太陽電池セルのｐ電極およびｎ電極がそれぞれ銀を含む材料により形成されているとともに、配線基板のｐ配線およびｎ配線はそれぞれ銅を含む材料により形成されており、太陽電池セルのｐ電極と配線基板のｐ配線とがはんだにより接続されており、太陽電池セルのｎ電極と配線基板のｎ配線とがはんだにより接続されていることが好ましい。
【手続補正１４】
【補正対象書類名】明細書
【補正対象項目名】００２４
【補正方法】変更
【補正の内容】
【００２４】
本発明によれば、ＦＦ（Fill Factor）値が大きい太陽電池を安価に製造することができる配線基板およびこれを用いた太陽電池モジュールを提供することができる。
【手続補正１５】
【補正対象書類名】明細書
【補正対象項目名】００６７
【補正方法】変更
【補正の内容】
【００６７】
本発明によれば、ＦＦ（Fill Factor）値が大きい太陽電池を安価に製造することができる配線基板およびこれを用いた太陽電池モジュールを提供することができるので、本発明は、太陽電池分野に好適に利用することができる。
【手続補正１６】
【補正対象書類名】特許請求の範囲
【補正対象項目名】全文
【補正方法】変更
【補正の内容】
【特許請求の範囲】
【請求項１】
太陽電池セルの電極を接続する配線が絶縁性基板の一面側に形成された配線基板であって、
太陽電池セルが配置されるセル配置部を複数備え、
前記セル配置部のそれぞれにおいて、前記配線は電気的に分離された二つの櫛形状の配線部に形成されているとともに、該二つの櫛形状の配線部はそれぞれ互いの櫛歯が交互に配列されるように設置されており、
隣り合う前記セル配置部においては、隣り合う一方の前記セル配置部の配線部の櫛歯を接続する部分と、隣り合う他方の前記セル配置部の配線部の櫛歯を接続する部分とが電気的に接続されている、配線基板。
【請求項２】
前記絶縁性基板が透明であることを特徴とする、請求項１に記載の配線基板。
【請求項３】
前記絶縁性基板の前記一面側とは反対側に反射膜が形成されていることを特徴とする、請求項２に記載の配線基板。
【請求項４】
半導体基板の一面側にｐ電極とｎ電極とを備えてなる太陽電池セルの複数と、
前記太陽電池セルの前記ｐ電極を接続するｐ配線と前記太陽電池セルの前記ｎ電極を接続するｎ配線とが絶縁性基板の一面側に形成された配線基板と、を含む太陽電池モジュールであって、
前記配線基板は、前記太陽電池セルが配置されるセル配置部を複数備え、
前記配線基板の前記セル配置部のそれぞれにおいて、前記ｐ配線および前記ｎ配線はそれぞれ櫛形状に形成されるとともに、前記ｐ配線および前記ｎ配線はそれぞれ前記ｐ配線の櫛歯に相当する部分と前記ｎ配線の櫛歯に相当する部分とが交互に配列されるように電気的に分離して設置されており、
前記配線基板の隣り合う前記セル配置部においては、隣り合う一方の前記セル配置部の前記ｐ配線の前記櫛歯に相当する部分を接続する部分と、隣り合う他方の前記セル配置部の前記ｎ配線の前記櫛歯に相当する部分を接続する部分とが電気的に接続されている、太陽電池モジュール。
【請求項５】
前記太陽電池セルの前記ｐ電極および前記ｎ電極がそれぞれ銀を含む材料により形成されているとともに、
前記配線基板の前記ｐ配線および前記ｎ配線はそれぞれ銅を含む材料により形成されており、
前記太陽電池セルの前記ｐ電極と前記配線基板の前記ｐ配線とがはんだにより接続されており、
前記太陽電池セルの前記ｎ電極と前記配線基板の前記ｎ配線とがはんだにより接続されていることを特徴とする、請求項４に記載の太陽電池モジュール。